【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
対向する第１および第２端部の間、および、対向する第１および第２縁部の間に広がる支持基板、
前記支持基板上に位置付けられ、前記第１および第２端部の間と、前記第１および第２縁部の間とのうちの１つの間、または両方の間で、前記支持基板に沿って伸びる内側エッジを含むスペーサー基板、
前記スペーサー基板の前記内側エッジが、毛管路の境界を画定し、前記スペーサー基板とともに機能するカバー、および
前記毛管路内に少なくとも１つの作用電極を備え、
前記作用電極が、前記支持基板の前記対向する第１および第２端部の間の方向に伸びる幅と、対向する端部間で、前記幅に対して交差する長さに沿って伸びる本体部分とを含み、
前記本体部分が、前記毛管路内に、前記本体部分の前記長さに沿って位置する少なくとも２つの作用電極部分を含み、前記少なくとも２つの作用電極部分は、少なくとも１つの接続部分によって接続され、
前記作用電極は、前記本体部分の対向する端部の少なくとも一方から伸び、前記スペーサー基板の前記内側エッジを横切るようにして、前記支持基板上の前記作用電極のリード線まで伸びる、少なくとも１つの接続ネックをさらに含み、
前記２つの作用電極部分のそれぞれが、前記接続ネックの最大幅よりも大きい最小幅を画定し、前記接続部分は、前記接続ネックの最小幅よりも小さい最大幅を画定することを特徴とするバイオセンサ。
【請求項２】
前記毛管路が、前記支持基板の前記第１端部に注入口を含み、前記作用電極の本体部分の全体が、前記毛管路内に位置することを特徴とする請求項１記載のバイオセンサ。
【請求項３】
前記作用電極が、前記毛管路内において、前記本体部分の対向する端部の他方から伸びる第２ネックを含み、前記第２ネックが、前記スペーサー基板の内側エッジを横切るようにして伸びることを特徴とする請求項１記載のバイオセンサ。
【請求項４】
前記毛管路内に少なくとも１つの対極をさらに備え、前記少なくとも１つの対極のそれぞれが、前記作用電極に隣接するように位置することを特徴とする請求項１記載のバイオセンサ。
【請求項５】
前記作用電極が、前記少なくとも２つの作用電極部分の間で伸び、前記少なくとも２つの作用電極部分を前記毛管路において相互接続する、第１および第２接続部分を含み、前記第１および第２接続部分のそれぞれが、前記接続ネックの最小幅よりも小さい最大幅を含み、前記第１および第２接続部分が、前記接続部分と前記作用電極部分との間で、非導電性スペースによって互いから離間されていることを特徴とする請求項１記載のバイオセンサ。
【請求項６】
前記作用電極部分のそれぞれが、矩形、円形および楕円形のうちの１つの形状を含むことを特徴とする請求項１記載のバイオセンサ。
【請求項７】
前記少なくとも２つの作用電極部分が、５つの作用電極部分を含み、前記少なくとも１つの接続部分が、４つの接続部分を含み、隣接する一対の前記作用電極部分が、前記４つの接続部分のそれぞれによって接続されることを特徴とする請求項１記載のバイオセンサ。
【請求項８】
前記作用電極の前記少なくとも１つの接続部分が、前記作用電極の少なくとも２つの作用電極部分の間を伸びる、複数の接続部分の列を含み、前記接続部分の列のうちの隣接する対は、非導電性スペースによって互いから離間し、前記接続部分の列のそれぞれは、前記少なくとも１つの接続ネックの最小幅よりも小さい最大幅を含むことを特徴とする請求項１記載のバイオセンサ。
【請求項９】
前記作用電極の本体部分の前記少なくとも２つの作用電極部分は、前記作用電極の本体部分に格子状のパターンを形成するために、前記複数の接続部分の列に沿って離間する複数の作用電極部分を含むことを特徴とする請求項８記載のバイオセンサ。
【請求項１０】
対向する第１および第２端部の間、および対向する第１および第２縁部の間に広がる支持基板、
前記支持基板上に位置付けられるスペーサー基板であって、前記支持基板に沿って伸び、前記支持基板の前記第１および第２端部の間と、前記第１および第２縁部の間とに位置する内側エッジを含むスペーサー基板、
前記スペーサー基板の前記内側エッジが、毛管路の境界を画定し、前記スペーサー基板とともに機能するカバー、および
前記支持基板の前記対向する第１および第２端部の間の方向に伸びる幅と、対向する端部間で、前記幅に対して交差する長さとを画定する本体部分を含む、少なくとも１つの作用電極を備え、
前記長さおよび幅は、前記本体部分が前記毛管路内に位置するような大きさにされ、
前記作用電極は、それぞれが、前記本体部分の対向する端部のそれぞれから前記スペーサー基板の前記内側エッジを横切るようにして伸びる第１および第２接続ネックをさらに含み、
前記本体部分は、前記第１および第２ネックのそれぞれの最大幅よりも大きい最小幅を画定し、
前記第１および第２接続ネックのそれぞれが、前記本体部分から、前記支持基板上の電極リード線に伸びることによって、前記第１および第２接続ネックそれぞれが、前記作用電極と、前記バイオセンサを測定器に接続するように構成された、少なくとも１つの接触部との間を電気的に接続することを特徴とするバイオセンサ。
【請求項１１】
前記支持基板の対向する第１および第２端部と、対向する第１および第２縁部とが、矩形を形成することを特徴とする請求項１０記載のバイオセンサ。
【請求項１２】
前記毛管路は、前記支持基板の前記第１端部に位置し、前記毛管路は、前記支持基板と前記カバーとの間に、前記第１端部において注入口を含むことを特徴とする請求項１０記載のバイオセンサ。
【請求項１３】
前記内側エッジが、略Ｕ字型の形状を画定し、前記作用電極の前記本体部分の全体が、前記毛管路内に位置することを特徴とする請求項１２記載のバイオセンサ。
【請求項１４】
前記作用電極の本体部分が、前記本体部分の中心または中心近傍で最大幅を有し、前記最大幅から、前記第１および第２接続ネックのそれぞれに隣接する前記最小幅まで、幅がテーパ状に形成されていることを特徴とする請求項１０記載のバイオセンサ。
【請求項１５】
前記第１接続ネックは、前記支持基板に沿って前記少なくとも１つの接触部まで伸びる電極リード線まで伸び、前記第２接続ネックは、前記毛管路の外側に位置する電極ループ部分まで伸び、前記作用電極が前記毛管路の内部と外側とで継続したループを形成するように、前記電極ループ部分は、前記電極リード線に前記第２接続ネックを結合することを特徴とする請求項１０記載のバイオセンサ。
【請求項１６】
対向する第１および第２端部の間、および、対向する第１および第２縁部の間に広がる支持基板、
前記支持基板上に位置付けられるスペーサー基板であって、前記支持基板に沿って伸び、前記第１縁部から前記支持基板の前記第１端部に隣接する前記第２縁部へ伸びる内側エッジを含むスペーサー基板、
前記スペーサー基板の内側エッジは、前記毛管路の境界を画定し、前記スペーサー基板とともに機能するカバー、および
前記毛管路内の少なくとも１つの作用電極を含み、
前記作用電極は、前記毛管路内に、前記第１および第２縁部に向かって伸びる長さを有する本体部分を含み、前記作用電極は、前記本体部分の一端から伸び、前記本体部分を横切って前記支持基板の前記第２端部に向かって伸びる接続ネックをさらに含み、前記内側エッジは、前記本体部分から離間して、前記接続ネックを横切るようにして伸び、前記接続ネックが、前記支持基板の前記第２端部に向けられていることを特徴とするバイオセンサ。
【請求項１７】
前記作用電極の前記本体部分の全体が、前記毛管路内に位置することを特徴とする請求項１６記載のバイオセンサ。
【請求項１８】
前記作用電極が、前記本体部分の対向する端部から伸び、前記本体部分を横切って、前記支持基板の前記第２端部に向かって伸びる第１および第２接続ネックを含み、前記内側エッジは、前記第１および第２接続ネックのそれぞれを横切るようにして伸び、前記第１および第２接続ネックが、前記支持基板の前記第２端部に向けられていることを特徴とする請求項１６記載のバイオセンサ。
【請求項１９】
前記接続ネックが、前記内側エッジを横切るようにして伸びる前記本体部分を、唯一電気的に接続することを特徴とする請求項１６記載のバイオセンサ。
【請求項２０】
前記本体部分が、前記長さの大部分に沿って最小幅を有し、前記接続ネックは、前記支持基板の前記第１および第２縁部の間で伸びる方向に最大幅を有し、前記本体部分の最小幅は、前記接続ネックの最大幅よりも大きいことを特徴とする請求項１６記載のバイオセンサ。
【請求項２１】
前記毛管路内に、第１および第２対極をさらに備え、
前記作用電極の本体部分は、前記第１および第２対極の間に位置し、
前記第１対極は、前記支持基板の第１端部と、前記作用電極との間に位置し、
前記第２対極は、前記第１および第２縁部の間に向けられた本体部分を含み、前記内側エッジが、前記第２対極の本体部分に沿って伸びることを特徴とする請求項１６記載のバイオセンサ。